(57)【要約】【課題】建物の基礎と土台間に通気用パッキンを設置するについて、基礎天端の不陸や、家の建築完成後に発生する木の土台の経年乾燥による収縮で土台締結用ナットのゆるみで発生する床鳴りを防止し、位置ずれアンカーボルトにも容易に対応できること。【解決の手段】通気用弾性パッキンの横面を複数の弧形部と複数の水平部とすることで、土台締結時、弾性パッキンを圧縮しても弧形状が弾性反発して基礎天端の不陸や、経年乾燥による土台の収縮でのナットのゆるみを防止する機能を持たせ、位置ずれアンカーボルトに対して、弾性パッキンを正規にあるいは左右反転・上下反転させることでルーズホールが拡大挿通孔となって容易に挿通ができて施工性が高まる。【選択図】    図１
2010112158.tif 000002
【特許請求の範囲】
【請求項１】
建物の基礎と土台間で床下の通気用部材として用いられる長さ２００ｍｍ程で土台と同
程度の幅をもたせ全体として四角形をなし、板厚を１ｍｍ前後、通気面の高さを９ｍｍ〜
１４ｍｍ程度とした床下通気用パッキンであって、凹凸の繰り返しの横面にはＲ寸法の異
なる複数の弧形部と長さの異なる複数の水平部とを配した前記通気用パッキンを基礎と土
台間に設置して、土台の上部で基礎から立ち上げのアンカーボルトにナットを締結すると
き通気面の高さ１４ｍｍ前後を圧縮して弾性変形させることにより、前記通気用パッキン
は、防鼠の機能を持ち、大地震時にアンカーボルトへの曲げ圧力に抵抗して躯体の耐震性
を高め、基礎天端の不陸に対しては弾性反発力で不陸調整板を不要とし、同じく弾性反発
力で経年乾燥による土台収縮での床鳴りを防止する等、板厚と弧形部と水平部と高さとが
密接に関係しあって、通気機能のほかに、多くの機能を備えていることを特徴とする床下
通気用弾性パッキン。
【請求項２】
請求項１に記載の通気用パッキンであって、素材に鋼板を用い、縦面と横面を交互につ
ないだ凹凸の繰り返しの横面において、上下の高さ１４ｍｍ前後の複数の弧形部には弾性
機能を持たせ、同じく上下の高さ９ｍｍ前後の複数の水平部には最低限の通気面積が確保
できる構造としていることを特徴とする床下通気用弾性パッキン。
【請求項３】
請求項１に記載の通気用パッキンであって、凹凸の繰り返しの縦面から横面に移る部位
に基礎から立ち上げのアンカーボルト挿通用小判型ルーズホールを設けるについて、板厚
の２倍以上の幅の桟をもたせ、その桟と桟の間の横面に小判型ルーズホールを設けること
により、プレス加工時におけるセリバリの発生防止と金型のメンテナンス作業が軽減でき
ることを特徴とする床下通気用弾性パッキン。
【請求項４】
請求項１に記載の通気用パッキンであって、上下の横面に横幅の異なるアンカーボルト
挿通用小判型ルーズホールを縦方向および横方向の中心線から偏倚して複数個設け、基礎
から立ち上げの位置ずれアンカーボルトに対し、前記通気用パッキンを正規に又は左右反
転あるいは上下反転して無理なく挿通できる拡大挿通口となるよう配置することにより施
工性が高まることを特徴とする床下通気用弾性パッキン。
【発明の詳細な説明】
【技術分野】
【０００１】
本発明は、住宅のコンクリート基礎と木の土台の間に通気用の隙間を形成するについて
該隙間に介装される床下通気用パッキンに関する。
【背景技術】
【０００２】
高さ可変の通気パッキンに関しては、特開２００６−１０４８４３号公報や特開２００
７−２３１５１５号公報等が知られているが、いずれも円形をした合成樹脂の成形品でア
ンカーボルトに必ず挿通する構造と仕様であり、アンカーボルトの無いところでの設置は
難しく、また、現場設置時にコンクリート基礎天端の不陸に対する高さを調整するのみで
住宅完成後の経年乾燥による土台の収縮には対応出来ない。
【０００３】
同じく、鋼製の高さ可変通気パッキンに関しては、特開平１０−２１９８５６号公報が
知られている。同公報は、土台に接する側を基板部となし、基礎側に一定の高さで固定さ
れた支持用突起とスリット加工した波板状の高さの異なる弾性突出片を複数個施して高さ
が可変出来る構造としている。
【０００４】
しかしながら、いかに波板状のスリット弾性突出片で高さが可変出来る構造といっても
一定の高さで固定された支持用突起の底辺（基礎接地面）までしか高さを変えられない
構造であり、しかも、住宅の荷重に耐えるためにはよほど板厚を厚くしなければならず価
格的にも高価なものとなってしまう。
【０００５】
又、樹脂製の高さ可変通気パッキンに関しては、特開２００２−３０９６８３号公報が
知られているが、こちらは基部と昇降上面部とスペーサの３部品で構成され、高さ可変用
に前記スペーサを差し込んで基礎天端の不陸に対応しているが、部品点数の多さに加え、
構造が複雑である。また特開２００２−３０９６８４号公報の場合、こちらはパッキン自
体をスライドさせて基礎天端の不陸に対応しているが、両公報共に住宅の完成後の経年乾
燥による土台の収縮には対応できない。
【０００６】
又、基礎パッキン用の不陸調整板として、特開平１０−２０５０１０号公報が知られて
いる。こちらは、パッキンの上に左右から挟みこんで、基礎天端の不陸に対応する構造と
しているが、この左右から挟み込む方式の基礎不陸調整板は、不陸の度合いによって厚さ
の異なる数種類の調整板を用意する煩雑さがあり、しかも、あくまでも基礎の不陸に対す
る調整板であって、住宅の完成後の経年乾燥による土台の収縮には対応できない構造であ
る。
【０００７】
次に、鋼製の凹凸の繰り返しによる通気パッキンとして、弊社出願の特開２００４−３
２６７号公報が知られている。こちらは、高さをアンカーボルトの線径以下で固定してい
るため、基礎天端の不陸に対しても住宅の完成後の土台の経年乾燥による土台の収縮には
対応できない構造である。
【０００８】
又、同公報は、アンカーボルト挿通用のルーズホールを複数個設けているが、こちらは、
縦面と縦面の間の横面いっぱいをルーズホールの幅としている所があり、この場合、プレ
ス加工時にセリバリが発生したり、金型のメンテナンス作業が煩雑となるなどの欠点があ
る。
【０００９】
同じく、鋼製の凹凸の繰り返しによる通気パッキンとして、弊社出願の特開２００５−
２２０７３６号公報が知られているが、こちらも、高さをアンカーボルトの線径以下で固
定しているため、基礎天端の不陸に対しても住宅の完成後の土台の経年乾燥による土台の
収縮には対応できない構造である。
【００１０】
又、同公報は、アンカーボルト挿通用のルーズホールを複数個設けているが、このよう
なルーズホールの形状では、基礎から立ち上げの位置ずれアンカーボルトに対して、正規
に又は左右反転あるいは上下反転して、すべての位置ずれアンカーボルトに挿通させるこ
とに無理があり、加えて、水平面から次の水平面までの間の縦面を切り取ったルーズホー
ルでは、家の荷重に対する支持力が弱くなり、必然的に板厚の厚い材料を使用せざるを得
ず、材料費も高くついてしまう。
【００１１】
通常、住宅を建てるに当っての基礎工事で、コンクリート基礎天端の不陸は避けられず
１〜４ミリほどの不陸はよくあることで、これに対し通気パッキンを設置しての不陸対応
の従来の技術は前述のとおり様々である。
【００１２】
又、住宅の完成後数年で、経年乾燥によって土台は１〜３ミリほど収縮し、その結果、
土台締結用のナットがゆるんで床鳴りが発生する等の不具合がある。これに対し現場で
は、床下にもぐってナットを締め直して対応しているのが実情である。
【発明の開示】
【発明が解決しようとする課題】
【００１３】
上記欠点を解決する課題として、あくまでも「ねこ土台工法」と呼ばれる床下の通気パ
ッキンの立場から、木造住宅建築の指標とされる、住宅金融支援機構の監修になる（財）
住宅金融普及協会発行「木造住宅工事仕様書」P24の3.3.10床下換気の項の1に示され
ている「土台の全周にわたって、１ｍ当り有効面積７５ｃｍ２以上の換気孔を設ける」の
規定を踏まえつつ、（１）基礎の不陸に対する対応力を備え、（２）住宅の完成後、経年
乾燥による土台の収縮での床鳴り防止、（３）プレス加工時のセリバリの防止、（４）現
場での施工性の向上等が求められる。
【００１４】
【特許文献１】特開第２００６−１０４８４３号公報
【特許文献２】特開第２００７−２３１５１５号公報
【特許文献３】特開平１０−２１９８５６号公報
【特許文献４】特開第２００２−３０９６８３号公報
【特許文献５】特開第２００２−３０９６８４号公報
【特許文献６】特開平１０−２０５０１０号公報
【特許文献７】特開第２００４−３２６７号公報
【特許文献８】特開第２００５−２２０７３６号公報
【非特許文献１】住宅金融支援機構監修の「木造住宅工事仕様書」平成１９年改訂版
【課題を解決するための手段】
【００１５】
本発明は、建物の基礎と土台間で床下の通気用部材として用いられる長さ２００ｍｍ程
で土台と同程度の幅をもたせ全体として四角形をなし、板厚を１ｍｍ前後、通気面の高さ
を９ｍｍ〜１４ｍｍ程度とした床下通気用パッキンであって、凹凸の繰り返しの横面には
Ｒ寸法の異なる複数の弧形部と長さの異なる複数の水平部とを配した前記通気用パッキン
を基礎と土台間に設置して、土台の上部で基礎から立ち上げのアンカーボルトにナットを
締結するとき通気面の高さ１４ｍｍ前後を圧縮して弾性変形させることにより、前記通気
用パッキンは、防鼠の機能を持ち、大地震時にアンカーボルトへの曲げ圧力に抵抗して躯
体の耐震性を高め、基礎天端の不陸に対しては弾性反発力で不陸調整板を不要とし、同じ
く弾性反発力で経年乾燥による土台収縮での床鳴りを防止する等、板厚と弧形部と水平部
と高さとが密接に関係しあって、通気機能のほかに、多くの機能を備えていることを特徴
とする床下通気用弾性パッキンで解決の手段とする。
【００１６】
本発明は、請求項１に記載の通気用パッキンであって、素材に鋼板を用い、縦面と横面
を交互につないだ凹凸の繰り返しの横面において、上下の高さ１４ｍｍ前後の複数の弧形
部には弾性機能を持たせ、同じく上下の高さ９ｍｍ前後の複数の水平部には最低限の通気
面積が確保できる構造としていることを特徴とする床下通気用弾性パッキンで解決の手段
とする。
【００１７】
本発明は、請求項１に記載の通気用パッキンであって、凹凸の繰り返しの縦面から横面
に移る部位に基礎から立ち上げのアンカーボルト挿通用小判型ルーズホールを設けるにつ
いて、板厚の２倍以上の幅の桟をもたせ、その桟と桟の間の横面に小判型ルーズホールを
設けることにより、プレス加工時におけるセリバリの発生防止と金型のメンテナンス作業
が軽減できることを特徴とする床下通気用弾性パッキンで解決の手段とする。
【００１８】
本発明は、請求項１に記載の通気用パッキンであって、上下の横面に横幅の異なるアン
カーボルト挿通用小判型ルーズホールを縦方向および横方向の中心線から偏倚して複数個
設け、基礎から立ち上げの位置ずれアンカーボルトに対し、前記通気用パッキンを正規に
又は左右反転あるいは上下反転して無理なく挿通できる拡大挿通口となるよう配置するこ
とにより施工性が高まることを特徴とする床下通気用弾性パッキンで解決の手段とする。
【発明の効果】
【００１９】
請求項１記載の床下通気用弾性パッキンによれば、縦面と横面を交互につないだ凹凸の
繰り返しの横面において、複数の弧形部と複数の水平部とを配した通気用パッキンとする
ことにより、土台の上でナットを締結して高さ寸法を００２９で詳述の１０．２５ｍｍ以
下に圧縮する際、横面の弧形部が弾性変形することにより、本来の通気機能の他に、（１）
防鼠の効果があり、（２）大地震時にアンカーボルトを強力にサポートする働きがあり、
（３）基礎天端の不陸にも十分な対応力があり、（４）住宅の完成後、経年乾燥による土
台の収縮で発生する床鳴りを防止する等の働きがあり、請求項２記載の床下通気用弾性パ
ッキンによれば、複数の縦面の垂直部を７ｍｍ前後とし、複数の横面の上下の高さ１４ｍ
ｍ前後の弧形状を圧縮することで孤形部が弾性反発して基礎天端の不陸による不具合を解
消し、同じく複数の横面の水平部の上下の高さを９ｍｍ前後とすることで最低限の通気面
積を確保する構造としている。請求項３記載の床下通気用弾性パッキンによれば、基礎か
ら立ち上げのアンカーボルト挿通用小判型ルーズホールの長手の左右に、板厚の２倍以上
の幅の桟をもたせ、その桟と桟の間の横面に小判型ルーズホールを設けることにより、プ
レス加工時におけるセリバリの発生防止と金型のメンテナンス作業が軽減でき、請求項４
記載の床下通気用弾性パッキンによれば、基礎から立ち上げのアンカーボルトが、設計的
にあるいは施工時に位置ズレしていても、上下の複数の横面に施された幅の異なる小判型
ルーズホールを左右にあるいは上下に反転させることで拡大挿通孔となってアンカーボル
トの挿通が容易になり、結果、施工性が高まる等、数々の優れた効果が得られる。
【発明を実施するための最良の形態】
【００２０】
以下、本発明の床下通気用弾性パッキン（以下、弾性パッキンと称する）の実施の形態
について詳述する。図１-1は弾性パッキンの一例としての平面図である。図１-2は弾性
パッキンの縦面から横面へ横面から縦面へ交互に凹凸が連続して配された側面図である。
図1-3a,3b,3c,3d,3e,3fは横面の弧形部であり、図１-4a,4bは横面の水平部である。
図１-5は縦面の垂直部であり、図１-6aは端面の水平フランジ部であり、１-6bは端面の
曲げＲ部である。図１-7は円筒突起（バーリング）である。図１-8a,8b,8c,8d,8e,8fは
アンカーボルト挿通用の小判型ルーズホールである。図１-9は小判型ルーズホールの長
手方向の左右に設けられた桟であり、その範囲を/////で示す。図２-1は図１-1と同じで
弾性パッキンの一例としての平面図である。図２-2a,2b,2c,2d,2e,2fは複数のアンカーボ
ルト挿通用小判型ルーズホールを実線で示し、図２-3は弾性パッキンを左右に反転あるい
は上下に反転して出来る拡大された挿通口を一点鎖線で示した平面図である。
【００２１】
本発明の弾性パッキン１-1は、素材に板厚０．８ミリ程のステンレススチールを用い、
全長が２００ミリ程、幅は例えば３．５寸土台用では１００ミリ程とし、横面の弧形部の
上下の高さ（厚み）を１３ミリ程、水平部の上下の高さ（厚み）を９ミリ程としている。
【００２２】
又、横面の弧形部は、縦面と縦面の幅によって異なるが１３Ｒ〜５０Ｒ程とし、左右端
面の水平フランジ部1-6aは数ミリほど内側に向け、曲げ部1-6bを２Ｒ程度として、００
２７で述べる過度の荷重（出願人の認識では４１７Ｋｇの１０倍以上、つまり４１７０Ｋ
ｇ以上）がかかっても弾性パッキンが横に延びて低くなるのを防ぐ役割を担っている。
【００２３】
００２１，００２２で示した数値は、（１）横面の弧形部が弾性反発して基礎天端の不
陸や経年乾燥による土台の収縮での床鳴りにも対応できる構造とした数値であり、（２）
施工時に土台上部でナットを締結する時、弾性パッキンの横面の水平部が圧縮されても０
０１３で示した「木造住宅工事仕様書」に記載の通気面積を確保できる数値であり、（３
）後述の００４０で「大地震時にＭ１２アンカーボルトを強力にサポートする働き」と、
００４２で述べる「ネズミの侵入を防ぐ機能をもたせる」ための板厚であり高さであり弧
形部であり水平部である。
【００２４】
この弾性パッキン図１-1,2を基礎と土台間に設置して土台上でナットを締結するとき、
弾性パッキンの高さを１０．２５ミリ以下に圧縮すれば弧形部が弾性反発して基礎天端の
不陸は勿論のこと、住宅完成後の経年乾燥による土台の収縮で発生する床鳴りを防止する
ことができる機能を有し、横面の上下には内径が数ミリほど高さ数ミリ程の円筒突起1-7
を上下に複数個施し、この円筒突起がスパイクの働きで地震等での横滑りを防止する働き
を担っている。
【００２５】
更に、過度の荷重がかかって万一弾性パッキンの高さが９ミリ以下なるようなときに、
この上下の複数個の円筒突起がそれぞれ土台とコンクリートに喰いついて、弾性パッキン
が横に延びて低くなるのを防ぎ、結果、高さ９ミリを保持する重要な働きをする。このこ
とは上下に各４個と各６個の円筒突起を夫々備えた弾性パッキンを比べた加圧テストでも
確かめられた。
【００２６】
又、この内径数ミリ程の円筒突起の孔は、基礎又は土台に固定する場合のクギ止めの孔
としても用いることができる。
【００２７】
又、弾性パッキン１-1,2を設置した場合の弾性パッキンにかかる家の荷重対策として、
縦面の垂直部１-5が大きな役割を担っている。一般的な基礎面積２０坪の木造二階建て住
宅の重量はおよそ５０トンと言われており、このとき弾性パッキンを１２０枚設置したと
して、一枚に掛かる荷重は５０トン÷１２０枚＝４１７Ｋｇである。この荷重に対する耐
力として、横面の弧形部の高さ１３ｍｍ程の２分の１程度を縦面の垂直部とすることが好
ましい数値であるが、耐圧テストの結果によっては多少の変更があってもよい。
【００２８】
以上のことを踏まえて、本発明の弾性パッキン図１-1,2の実施例を更に詳述する。一
般的に基礎と土台の締結に用いられるアンカーボルトはＭ１２で長さ４００Ｌが多く使用
されている。この４００Ｌのアンカーボルトは前記「木造住宅工事仕様書」P23の3.3.8
アンカーボルトの項の4によれば、「コンクリート基礎の中に２５０ｍｍ埋め込み、土台
の上でナット締結後ボルトの残りネジ３山を確保すること」となっている。
【００２９】
この条件を満たすについて、木造住宅の土台は１０５角または１２０角が一般的であり、
例えば、土台１２０角の場合、400L-250(埋め込み深さ)-120 (土台)-4.5 (ワッシャー)-10 (M12
ナット)-｛1.75 ((M12ねじヒ゜ッチ)×3(山）｝≧10.25mmの計算式が成り立つ。つまり、厚さ１
３ｍｍの弾性パッキンを１０．２５ｍｍ以下に土台を締め付けて圧縮することにより、ナ
ット締結後残りネジ３山が確保されることなる。
【００３０】
厚さ１３ｍｍの弾性パッキン１-1,2を１０．２５ｍｍ以下まで圧縮して締め付けるにつ
いては、縦面から横面への弧形部が弾性の働きで可能となり、経年乾燥による土台の収縮
に対しては逆に弧形部が弾性反発して、常に土台の収縮分を押し上げることで床鳴りが解
消される。
【００３１】
又、本発明の弾性パッキンの横面に複数のアンカーボルト挿通用ルーズホール 図２-a,
b,c,d,e,fを縦方向および横方向の中心線から偏倚して複数個設け、それを実線で示して
いるが、このルーズホールは上下の横面に弾性パッキンを正規に又は左右に反転あるいは
上下に反転して出来る拡大された挿通口図２-1を一点鎖線で示している。この拡大された
挿通口によって、設計的にあるいは施工時に位置ズレしているアンカーボルトにも容易に
挿通が可能となり施工性が高まる。
【００３２】
又、本発明の弾性パッキン図１-1,2を土台の上で圧縮して締め付けるについての限界値
は、前記００１３で示した住宅金融支援機構の「木造住宅工事仕様書」によれば、「ねこ
土台を使用する場合は、土台の全周にわたって、１ｍ当り有効面積７５ｃｍ２以上の換気
孔を設けること」の数値を満たすことが限界値となる。
【００３３】
本発明の弾性パッキンは通常、住宅の基礎上の出隅，入隅，Ｔ部には夫々２〜３個、十
字部には３〜４個、直線部では１０００ｍｍ以内に１個設置するのが好ましい例である。
【００３４】
仮に、本発明の長さ２００ｍｍ通気口の高さを９ｍｍに圧縮した時の弾性パッキン図１
-1を基礎上の１ｍに５個設置したとして、この場合、０．８ｍｍの板厚以外はすべて通気が
取れるので、0.8mm×300mm(板の全長)×5枚＝1200mm2で、 (9h×1000mm)-1200mm2=7800
mm2となり、１ｍ当りの通気面積は７８ｃｍ２となる。
【００３５】
逆に、7500mm2＋1200mm2=8700mm2の計算から、１ｍ当りの通気開口部の高さは８．７
ｍｍが通気面積から見た弾性パッキンの限界圧縮値となる。
【００３６】
本発明の弾性パッキンの長さを２００ｍｍ程としたことについて、前記「木造住宅工事
仕様書」によれば、住宅を建てるに当って「通し柱のところでは、柱の近傍にホールダウ
ン（引き寄せ）金物に緊結されるＭ１６アンカーボルトを、土台の中心線から２００ｍｍ
前後の所と、二階建ての場合の直線部では間隔２．７ｍ、三階建てでは２ｍごとに土台締
結用Ｍ１２アンカーボルトを埋め込むこと」が表記されており、弾性パッキンの横面に０
０３１で示した複数のアンカーボルト挿通用ルーズホール1-1,2-1を縦方向および横方向
の中心線から偏倚して複数個設け、弾性パッキンを正規に又は左右に反転あるいは上下に
反転して出来る拡大された挿通口2-2は前記仕様書の数値に対して効率よく設置できるた
めの長さである。
【００３７】
次に、本発明の高さ１３ｍｍの弾性パッキン１-1を土台上部でナットを締結するとき、
高さ寸法を１０．２５ｍｍ以下にまで圧縮して設置することについての根拠は、（１）基
礎と土台間の隙間１０ミリと２０ミリとでは、M12アンカーボルトに対する曲げ耐力に大
きな違いがあること、（２）建築基準法施行令第２２条の２に “ねずみの侵入を防ぐた
めの設備をすること”，前記「木造住宅工事仕様書」P24の床下換気の項3.3.10-2に“
ねずみの侵入を防ぐために強固なスクリーンを取り付けること”等の規定を満たすことを
根拠としている。但し、前記建築基準法施行令第２２条の２にねずみの侵入を防止できる
隙間についての数値は示されていないので、００４２で示す参考文献をその根拠とする。
【００３８】
００３７の（１）について、M12アンカーボルトの曲げ耐力比較試験内容は、次下の０
０３９の通りである。このことについては本特許出願人による、特開２００５−２２０７
３６の図７に開示されているので、試験内容のグラフや形状写真等、詳細は省略する。
【００３９】
＜試験内容＞
１．依頼者・・・・・有限会社 星野企画（本特許出願人）
２．試験名・・・・・M12アンカーボルトの曲げ耐力比較試験
３．試験日・・・・・2003年12月23日
４．試験機関・・・都立産業技術研究所（現・独立行政法人 都立産業技術研究センター）
【００４０】
本発明の高さ１３ｍｍの弾性パッキン１-1を土台上部でナットを締結するとき、高さ寸
法を１０．２５ｍｍ以下まで圧縮して設置することで、大地震時にM12アンカーボルトを
サポートする優れた機能を発揮することが上記００３９の曲げ耐力比較試験によって立証
された。このことが、高さ寸法を１０．２５ｍｍ以下とすることの根拠である。
【００４１】
【特許文献８】特開２００５−２２０７３６
【００４２】
００３７の（２）について、本発明の弾性パッキのンの高さ１３ｍｍを１０．２５ｍｍ
以下に圧縮して締め付けることが防鼠の機能を果たすことになる。その根拠として参考文
献１，２，３を以下に示す。
［参考文献１］東京都福祉保健局健康安全室環境水道課のホームページ発信：H17.6.29
発行『都民のためのねずみ防除読本』には「クマネズミは１２．５ミリの隙間があれば通
り抜けられる」と複数個所に記載あり。
［参考文献２］関西電気保安協会のホームページで発信：「キューピクルの天井部にある
２５ミリの隙間を、尻尾を含めた長さ２０ｃｍほどのネズミが侵入し、さらにその先の１
５ミリの隙間をくぐり抜けて電気事故を起こした」と2003年11月電話でも確認。
［参考文献３］金丸弘美著「スーパーラット」徳間書店：「クマネズミは１．５センチの
穴があっても通る。」「床下の通気口の隙間は１センチ程度にして。」等の記載が複数個
所にあり。
【００４３】
本発明の鋼板を用いた弾性パッキンはプレス加工機またはロール成形機等によって加工
が可能である。
【図面の簡単な説明】
【００４４】
【図１】本発明の実施形態による弾性パッキンの平面図と側面図である。
【図２】本発明の実施形態による弾性パッキンのアンカーボルト挿通用ルーズホールを実線で表し、本発明の弾性パッキンを正規に又は左右反転あるいは上下反転した時に得られる拡大された挿通孔を一点鎖線で表した平面図である。
【符号の説明】
【００４５】
１-1      通気用弾性パッキンの平面図。
-2      通気用弾性パッキンの側面図。
-3a,3b,3c,3d,3e,3f  横面の弧形部である。  
-4a,4b  横面の水平部である。 
-5      縦面の垂直部。
-6a     端面の水平フランジ部。
-6b     端面の曲げＲ部。
-7      円筒突起。
-8a,8b,8c,8d,8e,8f  アンカーボルト挿通用のルーズホール。
-9      ルーズホール長手方向の左右の桟であり、その範囲を/////で示す。
２-1      通気用弾性パッキンの平面図。
-2a,2b,2c,2d,2e,2f   アンカーボルト挿通用のルーズホール（実線で示す）。
-3     拡大された挿通口を（一点鎖線で示す）。
ｈｖ     長手方向の中心線（二点鎖線で示す）。
Ｓｖ     幅方向の中心線（二点鎖線で示す）。 
【図１】
2010112158.tif 000003
【図２】
2010112158.tif 000004